(57)【要約】【課題】表示装置のバックライトユニット等の面状照明装置において、プリズム導光板や剛性のランプリフレクタを使用した場合であっても狭額縁化を妨げることなく耐衝撃性を向上させる。【解決手段】液晶表示装置のバックライトユニットにおけるプリズム導光板３を支持する枠状のシャーシ７における導光板３の入光面３ｉの両端部近傍位置に別体としてのＳＵＳ製ストッパー金具１１Ａ，１１Ｂを取り付ける。これらのストッパー金具１１Ａ，１１Ｂは、それらの爪１１Ａｐ，１１Ｂｐが側方から内側に入り込んで導光板３の入光面３ｉとランプ８（ランプホルダ１０）との間に介在するように配置される。このようなストッパー金具１１Ａ，１１Ｂにより、液晶表示装置に外部から衝撃が与えられた場合に導光板３のランプ８方向への移動が防止されるので、耐衝撃性が向上する。【選択図】図１
2004247285.tif 000002
【特許請求の範囲】
【請求項１】
側面から入射される光を主面から照明光として出射する導光体と、当該導光体の少なくとも１つの側面に相対するように配置された光源と、当該導光体を保持する保持部材とを有する面状照明装置であって、
前記導光体の側面のうち前記光源に相対する側面である入光面の近傍に設けられ、前記光源の方向への前記導光体の移動を防止する係止手段を備え、
前記係止手段は、前記保持部材に別体として取り付けられていることを特徴とする面状照明装置。
【請求項２】
前記光源は、直線状の光源であることを特徴とする、請求項１に記載の面状照明装置。
【請求項３】
前記光源は、Ｌ字形状の光源であって前記導光体の互いに隣接する２つの側面に相対するように配置され、
前記係止手段は、前記入光面である前記２つの側面の前記光源への当接が抑止されるように前記光源の方向への前記導光体の移動を防止することを特徴とする、請求項１に記載の面状照明装置。
【請求項４】
前記光源は、Ｕ字形状の光源であることを特徴とする、請求項１に記載の面状照明装置。
【請求項５】
前記光源として第１および第２の光源を備え、
前記係止手段は、前記第１および第２の光源のいずれの光源の方向にも前記導光体の移動を防止することを特徴とする、請求項１に記載の面状照明装置。
【請求項６】
前記第１および第２の光源のうち少なくとも一方は、直線状の光源であることを特徴とする、請求項５に記載の面状照明装置。
【請求項７】
前記第１および第２の光源のうち少なくとも一方は、Ｌ字形状の光源であって前記導光体の互いに隣接する２つの側面に相対するように配置され、
前記係止手段は、前記入光面である前記２つの側面の前記Ｌ字形状の光源への当接が抑止されるように前記Ｌ字形状の光源の方向への前記導光体の移動を防止することを特徴とする、請求項５に記載の面状照明装置。
【請求項８】
前記第１および第２の光源のうち少なくとも一方は、Ｕ字形状の光源であることを特徴とする、請求項５に記載の面状照明装置。
【請求項９】
前記係止手段は、少なくとも当該面状照明装置の耐衝撃性が向上する程度に前記導光体の前記光源の方向への移動を防止可能とする強度を有する部材からなることを特徴とする、請求項１に記載の面状照明装置。
【請求項１０】
前記係止手段は、金属製部材からなることを特徴とする、請求項１または９に記載の面状照明装置。
【請求項１１】
前記係止手段は、形状記憶合金からなることを特徴とする、請求項１０に記載の面状照明装置。
【請求項１２】
前記係止手段は、光の反射率が７０％以上の表面を有する部材からなることを特徴とする、請求項１または９に記載の面状照明装置。
【請求項１３】
前記係止手段は、光の反射率が８０％以上の表面を前記導光体側に有する部材からなることを特徴とする、請求項１２に記載の面状照明装置。
【請求項１４】
前記係止手段は、前記入光面の端部近傍に位置するように前記保持部材に取り付けられ、前記入光面の側方から内側へ延びる部分であって前記導光体の前記光源の方向への移動を防止するときに前記入光面に当接する部分を含むことを特徴とする、請求項１から１３までのいずれか１項に記載の面状照明装置。
【請求項１５】
前記係止手段は、前記入光面の両端部のうち一方の端部近傍にのみ設けられていることを特徴とする、請求項１４に記載の面状照明装置。
【請求項１６】
前記係止手段は、前記導光体の前記光源の方向への移動を防止するときに前記入光面に当接する部分を含み、当該部分に貫通孔を有することを特徴とする、請求項１から１５までのいずれか１項に記載の面状照明装置。
【請求項１７】
前記係止手段は、前記導光体の互いに隣接する２つの側面が共に前記入光面である場合に、互いに直交する第１および第２の部分からなるＬ字型部材を含み、
前記第１の部分は、前記入光面としての前記２つの側面のうち一方の側面の側方から内側に延びる部分であって当該一方の側面が前記光源に向かう方向に前記導光体が移動するのを防止するときに当該一方の側面に当接し、
前記第２の部分は、前記入光面である前記２つの側面のうち他方の側面の側方から内側に延びる部分であって当該他方の側面が前記光源に向かう方向に前記導光体が移動するのを防止するときに当該他方の側面に当接することを特徴とする、請求項１から１５までのいずれか１項に記載の面状照明装置。
【請求項１８】
液晶パネルを照明する照明手段を有する液晶表示装置であって、
請求項１から１７までのいずれか１項に記載の面状照明装置を前記照明手段として備えることを特徴とする液晶表示装置。
【発明の詳細な説明】
【技術分野】
【０００１】
本発明は、光源からの光が側面から入射される導光体を備えたサイドライト型の面状照明装置、および、そのような面状照明装置をバックライトユニット等の照明手段として使用する液晶表示装置に関する。
【背景技術】
【０００２】
近年、液晶表示装置は、低消費電力、軽量、薄型という特徴が注目され、その応用分野が広がりつつある。例えば、民生映像用モニタや、産業機器用モニタ、情報携帯端末等の表示部として液晶表示装置が使用されている。ところで、液晶自体は自ら発光しないため、液晶表示装置には、液晶パネルの背面を照明する面状照明装置であるバックライトユニット等が組み込まれていることが少なくない。
【０００３】
液晶表示装置で使用されるバックライトユニットとしては、装置の薄型化を重視してサイドライト型のものが多くなっている。サイドライト型バックライトユニットは、典型的には、管状の光源であるエッジライトと呼ばれる冷陰極管が導光板の側面に配置され、エッジライトが発した光がその側面から導光板に入射する構成となっている。そして、その側面から入射した光は照明光として導光板の主面である上面から出射して液晶パネルの背面に照射される。このようにしてバックライトユニットは、液晶パネルを背面から照明する面状照明装置として機能する。
【０００４】
このようなバックライトユニットにおける導光板として、近年、部品点数の削減や、薄型化、高輝度化の要請に対応すべく、大型のノート型パソコン用液晶表示装置においてもプリズム導光板が採用されている。
【０００５】
図１８は、ノート型パソコン等で使用される従来の液晶表示モジュール（以下「第１の従来例」という）の構造の一例を示す断面図である。この液晶表示モジュール２００では、プレス成形等により形成された金属製のベゼル２０２によって筐体が構成され、このベゼル２０２に枠状の支持部材として樹脂製シャーシ２０７が嵌め込まれている。この液晶表示モジュール２００の本体は、液晶層を挟持して互いに対向する２枚のガラス基板からなる液晶パネル２１１と、面状照明装置としてのバックライトユニット２１２とから構成され、この本体はシャーシ２０７に支持または保持されて上記筐体に収納されている。バックライトユニット２１２は、シャーシ２０７に支持されたプリズム導光板２０３と、プリズム導光板２０３の上面に順に配置された光学シート２０５および保護シート２０６と、プリズム導光板２０３の下面に配置された反射板２０４とを備えている。また、このバックライトユニット２１２は、プリズム導光板２０３の一側面近傍に配置された単管の冷陰極管であるエッジライト（以下、単に「ランプ」という）２０８と、ランプ２０８が発する光を反射するＳＵＳ製ランプリフレクタ２０９と、ランプ２０８を保持するランプホルダ２１０とを備えている。ランプリフレクタ２０９は、ランプ２０８の側面のうちプリズム導光板２０３の前記一側面近傍以外の部分を覆うように配置され、これにより、ランプ２０８が発する光が効率よく前記一側面からプリズム導光板２０３に入射するようになっている。その一側面（以下「入光面」という）から入射した光は照明光としてプリズム導光板２０３の主面である上面から出射して液晶パネル２１１の背面を照明する。
【０００６】
【特許文献１】特開２００１−１０８９８８号公報
【特許文献２】特開２０００−３３１５２１号公報
【特許文献３】実開平６−７６９３６号公報
【発明の開示】
【発明が解決しようとする課題】
【０００７】
図１９は、従来の他の液晶表示モジュール（以下「第２の従来例」という）におけるバックライトユニットの構成を示す平面図である（特許文献１参照）。この従来例では、導光板３０３より派生している突起物３０３ａ，３０３ｂをフレーム３０７と嵌合させることにより、導光板３０３がフレーム３０７に対し係止され位置決めされる構成となっている。
【０００８】
しかし、第１の従来例のようにバックライトユニットの構成要素としてプリズム導光板が使用される場合には、面状照明装置として輝度均一性を確保するという観点から、上記のような突起物を導光板に設けることはできない。このため、上記のような突起物に基づく係止手段を採用できないので、導光板を係止する手段を別途設ける必要がある。これに対し、冷陰極管であるエッジライトと相対する導光板の入光面に位置ずれ防止機構を設けるという構成も考案されている。しかし、この構成によれば、ＰＥＴ製ランプリフレクタのように弾性材料からなる部材が使用されている場合には問題ないが、上記第１の従来例におけるＳＵＳ製ランプリフレクタ２０９のように剛性材料からなる部材が使用されている場合には、ランプリフレクタの簡易な組み込みが困難となる。その結果、ランプハウジング（枠体）に係止手段を設けることが困難となる。
【０００９】
したがって、第１の従来例のようにバックライトユニットにおいて、プリズム導光板を使用すると共に、光の利用効率を向上させるべくＳＵＳ製ランプリフレクタ等の剛性材料からなるランプリフレクタを使用する場合には、ランプハウジング（枠体）に係止手段を設けることによる位置決め機構を実現することができない。そのため、この場合には、ランプホルダ２１０が導光板の位置決め機構として機能することになり、特に大型の液晶表示モジュールにおいてその耐衝撃性が問題となる。
【００１０】
これに対し、特許文献２には、導光板の入光面（入射面）の両端部であって、エッジライトとしてのランプに相当する棒状光源の電極と入光面とが対向する部分に、棒状光源への導光板の位置ずれを防止する位置ずれ防止機構が設けられたサイドライト型面光源装置（およびそれを用いた液晶表示装置）が開示されている。しかし、この面光源装置における位置ずれ防止機構は、導光板を保持するフレームの内側壁面より突出する突起として形成されたり、導光板を保持するフレームを補強する金属材料の一部として形成されたりする構成となっている。そして、位置ずれ防止機構を樹脂製のフレームからの突起部として形成する場合には、表示装置における狭額縁化の観点からその突起物を肉厚にすることは困難であり、また、ランプおよびランプリフレクタを樹脂製フレームに取り付けることが不可能に近いという組立性における問題もある。次に、位置ずれ防止機構を補強用の金属部材の一部として形成する場合には、通常、その金属部材の所定部分が切欠されることによって位置ずれ防止機構部が構成されることになる。このため、耐衝撃性の観点から見ると、強度的には十分なものではない。通常のランプリフレクタ用金属板厚は０．１８８ｍｍであるからである。また、これ以上の厚さの材料を使用するとモジュール厚が６．５ｍｍ以上という大きな値となり液晶表示装置（液晶表示モジュール）としての商品性が低下するからである。なお、ランプリフレクタは、ランプ周囲のうち導光板の入光面近傍以外の部分を囲むような形状となるので、ランプリフレクタ用金属板厚が例えば０．５ｍｍだけ増えると、それに伴うモジュール厚の増加量は０．５ｍｍ×２＝１．０ｍｍとなる。さらにまた、補強用の金属部材が切り欠け形状である場合には、この面光源装置の組み立て時において、ランプの装着方法として、ランプをその長手方向にスライドさせつつランプリフレクタに挿入するという方法を採用せざるを得ないので、切り欠け部でランプが傷付かないようにするために作業時間を要し、組み立て時の作業性が低下する。同様の理由でランプの交換も容易ではない。したがって、特許文献２に記載の構成では、位置ずれ防止機構として大きな強度が得られないか、または、補強用の金属部材の強度が低下することになる。よって、表示装置としての狭額縁化を妨げることなく十分な耐衝撃性を実現することはできない。
【００１１】
そこで本発明では、プリズム導光板やＳＵＳ製ランプリフレクタ等を使用した場合であっても表示装置の狭額縁化を妨げることなく高い耐衝撃性を実現できるバックライトユニット等の面状照明装置およびそれを使用した液晶表示装置を提供することを目的とする。
【課題を解決するための手段】
【００１２】
第１の発明は、側面から入射される光を主面から照明光として出射する導光体と、当該導光体の少なくとも１つの側面に相対するように配置された光源と、当該導光体を保持する保持部材とを有する面状照明装置であって、
前記導光体の側面のうち前記光源に相対する側面である入光面の近傍に設けられ、前記光源の方向への前記導光体の移動を防止する係止手段を備え、
前記係止手段は、前記保持部材に別体として取り付けられていることを特徴とする。
【００１３】
第２の発明は、第１の発明において、
前記光源は、直線状の光源であることを特徴とする。
【００１４】
第３の発明は、第１の発明において、
前記光源は、Ｌ字形状の光源であって前記導光体の互いに隣接する２つの側面に相対するように配置され、
前記係止手段は、前記入光面である前記２つの側面の前記光源への当接が抑止されるように前記光源の方向への前記導光体の移動を防止することを特徴とする。
【００１５】
第４の発明は、第１の発明において、
前記光源は、Ｕ字形状の光源であることを特徴とする。
【００１６】
第５の発明は、第１の発明において、
前記光源として第１および第２の光源を備え、
前記係止手段は、前記第１および第２の光源のいずれの光源の方向にも前記導光体の移動を防止することを特徴とする。
【００１７】
第６の発明は、第５の発明において、
前記第１および第２の光源のうち少なくとも一方は、直線状の光源であることを特徴とする。
【００１８】
第７の発明は、第５の発明において、
前記第１および第２の光源のうち少なくとも一方は、Ｌ字形状の光源であって前記導光体の互いに隣接する２つの側面に相対するように配置され、
前記係止手段は、前記入光面である前記２つの側面の前記Ｌ字形状の光源への当接が抑止されるように前記Ｌ字形状の光源の方向への前記導光体の移動を防止することを特徴とする。
【００１９】
第８の発明は、第５の発明において、
前記第１および第２の光源のうち少なくとも一方は、Ｕ字形状の光源であることを特徴とする。
【００２０】
第９の発明は、第１の発明において、
前記係止手段は、少なくとも当該面状照明装置の耐衝撃性が向上する程度に前記導光体の前記光源の方向への移動を防止可能とする強度を有する部材からなることを特徴とする。
【００２１】
第１０の発明は、第１または第９の発明において、
前記係止手段は、金属製部材からなることを特徴とする。
【００２２】
第１１の発明は、第１０の発明において、
前記係止手段は、形状記憶合金からなることを特徴とする。
【００２３】
第１２の発明は、第１または第９の発明において、
前記係止手段は、光の反射率が７０％以上の表面を有する部材からなることを特徴とする。
【００２４】
第１３の発明は、第１２の発明において、
前記係止手段は、光の反射率が８０％以上の表面を前記導光体側に有する部材からなることを特徴とする。
【００２５】
第１４の発明は、第１から第１３までの発明のいずれかにおいて、
前記係止手段は、前記入光面の端部近傍に位置するように前記保持部材に取り付けられ、前記入光面の側方から内側へ延びる部分であって前記導光板の前記光源の方向への移動を防止するときに前記入光面に当接する部分を含むことを特徴とする。
【００２６】
第１５の発明は、第１４の発明において、
前記係止手段は、前記入光面の両端部のうち一方の端部近傍にのみ設けられていることを特徴とする。
【００２７】
第１６の発明は、第１から第１５までの発明のいずれかにおいて、
前記係止手段は、前記導光板の前記光源の方向への移動を防止するときに前記入光面に当接する部分を含み、当該部分に貫通孔を有することを特徴とする。
【００２８】
第１７の発明は、第１から第１５までの発明のいずれかにおいて、
前記係止手段は、前記導光体の互いに隣接する２つの側面が共に前記入光面である場合に、互いに直交する第１および第２の部分からなるＬ字型部材を含み、
前記第１の部分は、前記入光面としての前記２つの側面のうち一方の側面の側方から内側に延びる部分であって当該一方の側面が前記光源に向かう方向に前記導光体が移動するのを防止するときに当該一方の側面に当接し、
前記第２の部分は、前記入光面である前記２つの側面のうち他方の側面の側方から内側に延びる部分であって当該他方の側面が前記光源に向かう方向に前記導光体が移動するのを防止するときに当該他方の側面に当接することを特徴とする。
【００２９】
第１８の発明は、液晶パネルを照明する照明手段を有する液晶表示装置であって、
第１から第１７までの発明のいずれかに係る面状照明装置を前記照明手段として備えることを特徴とする。
【発明の効果】
【００３０】
第１の発明によれば、係止手段が別体として保持部材に取り付けられることから、係止手段の材質の選択の自由度が高いので、肉薄で強度の高い部材によって係止手段を実現できる。これにより、耐衝撃性を向上させることができ、本発明に係る面状照明装置を液晶表示装置の照明手段として使用する場合には、表示装置の狭額縁化を妨げることなく耐衝撃性を向上させることができる。また、面状照明装置の組み立て時において導光体を組み込む際に導光体の入光面が所定位置で係止されるため、位置決めが容易となり、組み立て時の作業効率（生産性）が向上する。さらに、これにより導光体の位置決め精度が向上するので、面状照明装置を使用した表示装置の表示品位も安定する。さらにまた、係止手段が別体として保持部材に取り付けられることから、各種の面状照明装置に使用すべき係止手段の部材を共通化することが可能となる。これにより、係止手段のコストが抑えられると共に組み立て時の作業性（生産性）も向上する。
【００３１】
第２の発明によれば、導光体の少なくとも１つの側面に相対するように配置された直線状の光源への当該導光体の移動が防止されることで、耐衝撃性が高い面状照明装置が実現される。
【００３２】
第３の発明によれば、Ｌ字形状の光源が使用されるので、光源の数を増やすことなく、したがってインバータ回路等の光源の駆動回路を増やすことなく、面状照明装置としての輝度を高めることができる。そして、このようなＬ字形状光源の方向への導光体の移動が係止手段によって防止される。したがって、輝度が高くかつ耐衝撃性が高い面状照明装置をコスト増を抑えつつ実現することができる。
【００３３】
第４の発明によれば、Ｕ字形状の光源が使用されるので、光源の数を増やすことなく、したがってインバータ回路等の光源の駆動回路を増やすことなく、面状照明装置としての輝度を高めることができる。そして、このようなＵ字形状の光源の方向への導光体の移動が係止手段によって防止される。したがって、輝度が高くかつ耐衝撃性が高い面状照明装置をコスト増を抑えつつ実現することができる。
【００３４】
第５の発明によれば、第１および第２の光源すなわち複数の光源が使用され、第１および第２の光源のいずれの光源の方向にも導光体の移動が防止されるので、輝度が高くかつ耐衝撃性が高い面状照明装置を実現することができる。
【００３５】
第６の発明によれば、複数の光源が使用され、それらの光源の少なくとも１つは直線状の光源であり、その直線状の光源の方向への導光体の移動が係止手段によって防止されるので、輝度が高くかつ耐衝撃性が高い面状照明装置を実現することができる。
【００３６】
第７の発明によれば、複数の光源が使用され、しかもそれらの光源の少なくとも１つはＬ字形状の光源であり、そのＬ字形状光源の方向への導光体の移動が係止手段によって防止されるので、輝度がより高くかつ耐衝撃性が高い面状照明装置を実現することができる。
【００３７】
第８の発明によれば、複数の光源が使用され、しかもそれらの光源の少なくとも１つはＵ字形状の光源であり、そのＵ字形状光源の方向への導光体の移動が係止手段によって防止されるので、輝度がより高くかつ耐衝撃性が高い面状照明装置を実現することができる。
【００３８】
第９の発明によれば、保持部材の材質に拘わらず別体としての係止手段に強度の高い部材が使用されることで耐衝撃性が向上する。
【００３９】
第１０の発明によれば、保持部材の材質に拘わらず別体としての係止手段に強度の高い金属製部材が使用されることで耐衝撃性が向上する。
【００４０】
第１１の発明によれば、係止手段が形状記憶合金からなるので、面状照明装置が外部から衝撃を複数回受けた場合であっても、その形状記憶合金の形状記憶効果を利用することにより、それら複数回の衝撃を受ける前と同程度の耐衝撃性を維持することができる。
【００４１】
第１２の発明によれば、係止手段の表面に照射される光が高い反射率で反射されて係止手段での光の吸収が抑制されるので、光源からの光の利用効率が向上する。
【００４２】
第１３の発明によれば、導光体側の表面の反射率の高い係止手段が使用されるので、面状照明装置における光の利用効率が向上するだけでなく、両端部の輝度の低い直線状光源が使用された場合において導光体の主面の隅部が暗くなるという不具合を改善することができる。
【００４３】
第１４の発明によれば、係止手段のうち導光体の移動を防止する部分は導光体の入光面の側方から内側へ延びる部分であるので、光の利用効率を高めるべくＳＵＳ製ランプリフレクタ等のような剛性のランプリフレクタを使用した場合であっても、光源としてのエッジライト等の装着時における作業性を悪化させることはない。
【００４４】
第１５の発明によれば、導光体の側面のうち光源に相対する側面である入光面における一方の端部近傍にのみ係止手段が設けられるので、面状照明装置において部品点数の増大を抑えつつ耐衝撃性を向上させることができる。
【００４５】
第１６の発明によれば、係止手段のうち導光体の移動を防止するときに入光面に当接する部分に貫通孔が設けられているので、光源からの光の一部はこの貫通孔を通って入光面から導光体に入射する。このため、係止手段の付加による光の利用効率の低下が抑えられる。
【００４６】
第１７の発明によれば、Ｌ字型部材を含む係止手段が使用され、導光体の互いに隣接する２つの側面である入光面のいずれが光源に向かう方向に移動する場合であっても、当該導光体の移動が１個のＬ字型部材で防止される。したがって、互いに隣接する２つの入光面を導光体が有するように光源が配置された面状照明装置において、部品点数の増大を抑えつつ耐衝撃性を向上させることができる。
【００４７】
第１８の発明によれば、第１〜第１７の発明に係る面状照明装置が使用されるので、これらの発明と同様の効果を奏する。また、係止手段が別体として保持部材に取り付けられることから、肉薄で強度の高い部材によって係止手段を実現することができ、これにより、表示装置における狭額縁化を妨げることなく耐衝撃性を向上させることができる。
【発明を実施するための最良の形態】
【００４８】
以下、本発明の実施形態について添付図面を参照して説明する。
＜１．第１の実施形態＞
＜１.１  構成＞
本発明の第１の実施形態に係る液晶表示装置は、例えばノート型パソコンにおける液晶表示モジュールとして使用され、面状照明装置としてのバックライトユニットを備えている。図１は、このバックライトユニット１１２の概略構成を示す裏側平面図すなわち表示面の反対側から見た平面図であり、図２は、このバックライトユニット１１２を含む本実施形態に係る液晶表示装置の要部を示す断面図であって、図１のＢ−Ｂ線における断面図に相当する。なお、図２において、下方向が表示面の方向（表示を見る者に向かう方向）であり、図２は、第１の従来例を示す図１８とは上下方向が逆になっている。また、図１は、図２に示す反射板４の位置から表示面方向すなわち液晶パネル１１１の方向を見た平面図（裏側平面図）であり、説明の便宜上、図１においてベゼル２は省略されている。
【００４９】
本実施形態に係る液晶表示装置である液晶表示モジュール１００では、既述の第１の従来例（図１８）と同様、プレス成形等により形成された金属製のベゼル２によって液晶表示モジュール１００の筐体が構成され、このベゼル２に枠状の支持部材として樹脂製シャーシ７が嵌め込まれている。この液晶表示モジュール１００の本体は、液晶パネル１１１とバックライトユニット１１２とから構成され、シャーシ７に支持または保持されて上記筐体に収納されている。
【００５０】
本実施形態における液晶パネル１１１は、互いに対向する１対の透明基板である第１の基板１ａと第２の基板１ｂとを有し、これらの基板は所定の距離だけ離されて固定されており、液晶材料がこれらの基板間に充填されて液晶層が形成されている。この液晶パネル１１１は透過型であって、例えば、これらの基板１ａ，１ｂは、共に、一方の面で液晶層と接するガラス基板と、そのガラス基板の他方の面（液晶層と接しない面）に積層された偏光板とから構成されている。これらの基板１ａ，１ｂのうち第２の基板１ｂの液晶層と接する面には、互いに平行する複数の走査線電極、複数の走査線電極に対して直交するように交差する複数の信号線電極、複数の走査線電極と複数の信号線電極との各交差部に配置される画素電極や薄膜トランジスタ（ＴＦＴ：Thin Film Transistor）等からなる回路が、例えば多結晶シリコン薄膜等を用いて形成されている。そして、この液晶パネル１１１における各信号線電極および各走査線電極には、所定の駆動回路（図示せず）から画像表示のために必要な信号が供給される。一方、第１の基板の液晶層と接する面には、全面に対向電極としての共通電極が設けられていて、これに適切な電圧が与えられる。このようにして、液晶層には画素電極と共通電極との電位差に相当する電圧が印加され、この印加電圧によって液晶層の光透過率が制御される。
【００５１】
本実施形態におけるバックライトユニット１１２は、基本的には既述の第１の従来例と同様の構成であって、シャーシ７に支持されたプリズム導光板３と、プリズム導光板３の表側の面（液晶パネル１１１側の面）に順に配置された光学シート５および保護シート６と、プリズム導光板３の裏側の面（液晶パネル１１１側の反対側の面）に配置された反射板４とを備えている。ただし、図２に示した光学シート等のシート構成やシート枚数は一例であって、この構成や枚数に限定されるものではない。また、このバックライトユニット１１２は、プリズム導光板３の一側面である入光面の近傍に当該入光面に相対するように配置された単管の冷陰極管であるエッジライト（以下、単に「ランプ」という）８と、ランプ８が発する光を反射するＳＵＳ製ランプリフレクタ９と、ランプ８を保持するランプホルダ１０とを備えている。ランプホルダ１０は、ランプ８をその両端の電極部で保持するゴム製の環状部材である。ランプリフレクタ９は、ランプ８の側面のうちプリズム導光板３の入光面近傍以外の部分を覆うように配置され、これにより、ランプ８が発する光が効率よく入光面からプリズム導光板３に入射する。この入光面から入射した光は照明光としてプリズム導光板３の主面である表側の面から出射して液晶パネル１１１の背面を照射する。これにより、第１の従来例と同様、バックライトユニット１１２は透過型液晶表示装置における面状照明装置として機能する。このようにして液晶パネル１１１の背面に照射された光に対する透過率が既述のように液晶パネル１１１によって制御されることにより、液晶表示装置による表示が行われる。
【００５２】
本実施形態におけるバックライトユニット１１２では、上記構成に加えて、図２に示すようにプリズム導光板３とランプホルダ１０との間に、プリズム導光板３のランプ８方向への移動を防止するための係止手段としてストッパー金具１１（より正確にはストッパー金具１１における後述の爪部分）が配置されている。以下、このストッパー金具１１につき図３〜図６を参照して説明する。ここで図３は、バックライトユニット１１２におけるストッパー金具１１の配置を示すための裏側平面図（表示面の反対側から見た平面図）であり（ただし、導光板３とランプ８との距離は実際よりも離して描かれている）、図４は、バックライトユニット１１２におけるストッパー金具１１の配置を示すための正面図すなわちランプ８側から見た側面図であり、これら図３および図４では、説明の便宜上、ストッパー金具１１（１１Ａ，１１Ｂ）、導光板３、ランプ８、およびランプホルダ１０以外の構成要素は省略されている。また、図５および図６は、バックライトユニット１１２で使用されるストッパー金具１１を示す図である。
【００５３】
本実施形態では、ストッパー金具１１として、導光板３の左側面近傍に配置される左側ストッパー金具１１Ａと、導光板３の右側面近傍に配置される右側ストッパー金具１１Ｂとの２種類のストッパー金具が使用される。左側ストッパー金具１１Ａは、図５（ａ）〜（ｅ）に示す形状の金属製部材であって、例えばＳＵＳ３０４の板厚０．３ｍｍで作製される。ただし、液晶表示装置として狭額縁化を妨げることなく後述の耐衝撃性を向上させることができる程度の強度を有するものであれば材質や厚みはこれに限定されるものではなく、上記ストッパー金具１１Ａ，１１Ｂに相当する係止手段が金属以外の材料で作製されてもよい。ここで、図５（ａ）〜（ｅ）は、それぞれ、左側ストッパー金具１１Ａを示す正面図、左側面図、平面図、右側面図および背面図である。この左側ストッパー金具１１Ａは、図５（ｂ）（ｃ）に示すようにシャーシ７と嵌合する矩形孔および円形孔を側面および上面にそれぞれ有していて、図１に示すように導光板３の左側近傍の位置で枠状のシャーシ７に嵌合して取り付け可能な形状となっており（シャーシ７に取り付けられたときに左側ストッパー金具１１Ａの上面は表示面と反対側を向く）、図３および図４に示すように、シャーシ７に取り付けられたときに導光板３の入光面３ｉにおける左端部とランプホルダ１０との間に介在するように形成された爪１１Ａｐを有している。また、右側ストッパー金具１１Ｂは、左側ストッパー金具１１Ａと同様の材質の部材であり、図６（ａ）〜（ｅ）に示す形状を有している。ここで、図６（ａ）〜（ｅ）は、それぞれ、右側ストッパー金具１１Ｂを示す正面図、左側面図、平面図、右側面図および背面図である。この右側ストッパー金具１１Ｂは、図６（ｄ）（ｃ）に示すようにシャーシ７と嵌合する矩形孔および円形孔を側面および上面にそれぞれ有していて、図１に示すように導光板３の右側近傍の位置で枠状のシャーシ７に嵌合して取り付け可能な形状となっており（シャーシ７に取り付けられたときに右側ストッパー金具１１Ｂの上面は表示面と反対側を向く）、図３および図４に示すように、シャーシ７に取り付けられたときに導光板３の入光面３ｉにおける右端部とランプホルダ１０との間に介在するように形成された爪１１Ｂｐを有している。
【００５４】
なお、本実施形態は、ストッパー金具１１Ａ，１１Ｂがシャーシ７に嵌合することによって当該シャーシ７に固定される構成となっているが、これに代えて又はこれと共に、ねじ止め等によってストッパー金具１１Ａ，１１Ｂがシャーシ７に固定される構成であってもよい。ストッパー金具１１Ａ，１１Ｂをねじ止めする場合には、図５（ｃ）および図６（ｃ）に示される円形孔がねじ止め用として使用される。ストッパー金具がシャーシ７に嵌合すると共にねじ止めされる場合の構成例を図７に示す。図７は、図１のＣ−Ｃ線における断面図に相当するものであり、本実施形態に係る液晶表示モジュール１００における導光板３の入光面３ｉ近傍の断面であって、図２に示される断面に垂直な断面を示す部分断面図である。この例では、シャーシ７はその側面のうち導光板３の入光面３ｉ近傍の所定部分に突起部７ａを有しており、ストッパー金具１１Ａの上記矩形孔がこの突起部７ａに嵌合すると共にねじ１１Ｓがストッパー金具１１Ａの上記円形孔を貫通してシャーシ７に螺合することで、ストッパー金具１１Ａがシャーシ７に固定され、ストッパー金具１１Ａの爪１１Ａｐが入光面３ｉとランプホルダ１０との間に介在するようになっている。また本実施形態では、ストッパー金具１１Ａ，１１Ｂは裏側方向（表示面と反対側の方向）に着脱可能な構成となっているが、ストッパー金具１１Ａ，１１Ｂの着脱方向はこれに限定されるものではなく、表側方向（表示面方向）等、どの方向に着脱可能な構成となっていてもよい。
【００５５】
＜１.２  効果＞
上記実施形態によれば、外部から与えられる衝撃等によって導光板３が入光面３ｉへの光の入射方向と逆の方向すなわちランプ８の方向へ移動しようとすると、枠状の支持部材であるシャーシ７に取り付けられたストッパー金具１１Ａ，１１Ｂにおける爪１１Ａｐ，１１Ｂｐが導光板３の入光面３ｉの左右端部に当接して導光板３の移動を阻止する（図３および図４参照）。ここで、ストッパー金具１１Ａ，１１Ｂはシャーシ７等とは別体として作製される比較的強度の高い材質（ＳＵＳ製等）からなる部材であるため、このようなストッパー金具１１Ａ，１１Ｂによって導光板３のランプ８方向への移動が防止されることで液晶表示装置（及びそれに使用されるバックライトユニット１１２）の耐衝撃性が向上する。例えば、上記実施形態の構成を採用した１５インチノートパソコン用液晶モジュールと、この液晶モジュールに対応する従来の液晶モジュールすなわち上記ストッパー金具１１Ａ，１１Ｂが設けられていない１５インチノートパソコン用液晶モジュールとに対し衝撃試験を行ったところ、下記のような結果が得られている。
（１）従来の液晶モジュールの耐衝撃性：１８０Ｇ、２ｍｓｅｃ
（２）本実施形態による液晶モジュール：２５０Ｇ、２ｍｓｅｃ
上記数値は、ランプ８等が破損しない最大の衝撃を示している。ただし、上記試験は、米国ランスモント（Lansmont）社の衝撃試験装置（Shock Test Machine）を使用し、試験対象の液晶モジュールを非動作状態として実施されたものである。また、このとき試験対象である液晶モジュールに加えられる加速度は、半正弦波状であり、その方向はランプ８の方向である。この試験結果からわかるように、本実施形態によれば、プリズム導光板を使用したバックライトおよびそれを備える液晶モジュールの耐衝撃性が従来に比べて格段に向上する。
【００５６】
なお、第１の従来例等のように枠状の支持部材等から派生させた部分によってストッパー（係止手段）を構成する場合には、表示装置としての狭額縁化を妨げることなくストッパーに高い強度を持たせることは困難である。これに対し、上記実施形態によれば、ストッパー金具１１Ａ，１１Ｂはシャーシ７等とは別体となっていることから、材質の選択の自由度が高いので、肉薄で強度の高いストッパーを実現できる。これにより、表示装置としての狭額縁化を妨げることなく耐衝撃性を向上させることができる。
【００５７】
また、本実施形態のようにストッパーを別体とした構成の場合には、各種の液晶表示モジュールに使用すべきストッパーを共通化することが可能となる。これにより、耐衝撃性の向上のためのストッパー付加によるコスト上昇が抑えられると共に組み立て時の作業性も向上する。
【００５８】
さらに、本実施形態によれば、バックライトユニット１１２の組み立て時においてプリズム導光板３をランプリフレクタ９に挿入して配設する際にプリズム導光板３の入光面３ｉがストッパー金具１１Ａ，１１Ｂの爪１１Ａｐ，１１Ｂｐに当接するため、位置決めが容易となり、組み立て時の作業効率（生産性）が向上する。また、これによりプリズム導光板３の位置決め精度が向上するので、バックライトユニット１１２の照明による表示品位が安定する。
【００５９】
さらにまた、本実施形態によれば、ストッパー１１Ａ，１１Ｂは、枠状支持部材であるシャーシ７に取り付けられ、それらの爪１１Ａｐ，１１Ｂｐが側方から内側に入り込むように配置されることで導光板３のランプ８方向への移動が防止される。このため、光の利用効率を高めるべくＳＵＳ製ランプリフレクタ９等のような剛性のランプリフレクタを使用した場合であっても、ランプ８の装着時における作業性を悪化させることはない。
【００６０】
＜２．第２の実施形態＞
次に、本発明の第２の実施形態に係る液晶表示装置について説明する。本実施形態に係る液晶表示装置も、第１の実施形態と同様、例えばノート型パソコンにおける液晶表示モジュールとして使用され、面状照明装置としてのバックライトユニットを備えている。そして、そのバックライトユニットで使用されるストッパーの構成を除けば、第１の実施形態と同様の構成となっている（図１〜図４参照）。以下では、本実施形態の構成要素のうち第１の実施形態と同一部分には同一の参照符号を付して詳しい説明を省略し、本実施形態におけるストッパーを中心に説明する。
【００６１】
本実施形態においても、第１の実施形態と同様、ストッパー金具として、プリズム導光板３の左側面近傍に配置される左側ストッパー金具１２Ａと、導光板３の右側面近傍に配置される右側ストッパー金具１２Ｂとの２種類のストッパー金具が使用され、これらの材質は第１の実施形態と同様である。しかし、本実施形態におけるストッパー金具１２Ａ，１２Ｂは、それらの形状が第１の実施形態におけるものと若干相違する。すなわち本実施形態では、左側ストッパー金具１２Ａは、図８（ａ）〜（ｅ）に示す形状の部材であり、右側ストッパー金具１２Ｂは、図９（ａ）〜（ｅ）に示す形状の部材である。これらのストッパー金具１２Ａ，１２Ｂは、第１の実施形態と同様、それぞれ導光板３の左側および右側近傍の位置で枠状のシャーシ７に嵌合して取り付け可能な形状となっており、図１０に示すように、シャーシ７に取り付けられたときに導光板３の入光面３ｉにおける左端部および右端部とランプホルダ１０との間に介在するように形成された爪１２Ａｐおよび１２Ｂｐをそれぞれ有している。本実施形態では、これらの爪１２Ａｐおよび１２Ｂｐに貫通孔が設けられており、第１の実施形態とは異なり、ランプ８からの光の一部はこれらの貫通光を通って導光板３に入射する。
【００６２】
なお、上述のストッパー金具１２Ａ，１２Ｂは、矩形の貫通孔を１個ずつ有しているが、ランプ８からの光の利用効率の向上に寄与するものであれば、貫通孔の形状および個数は限定されず、例えば図１１に示すストッパー金具１３Ａ，１３Ｂのように、それらの爪１３Ａｐ，１３Ｂｐに比較的小さい円形の穴が多数設けられていてもよい。
【００６３】
上記実施形態によれば、第１の実施形態と同様の効果が得られ、かつ、ランプ８からの光の利用効率が第１の実施形態よりも向上する。すなわち、ランプ８の両端部に装着されるランプホルダ１０は透明部材で作製されているが、第１の実施形態におけるストッパー金具１１Ａ，１１Ｂを使用した場合、ランプ８の電極部分から導光板３への光伝達が十分でなく、表示品位の低下を招くおそれがある。しかし、本実施形態によれば、ランプ８の両端部の光がランプホルダ１０およびストッパー金具の爪１２Ａｐ，１２Ｂｐの貫通孔を通って入光面３ｉから導光板３に入射することで、ランプ８の電極部分での光の利用効率が向上し、良好な表示品位が得られる。
【００６４】
＜３．変形例＞
＜３.１  第１の変形例＞
上記第１および第２の実施形態では、ストッパー金具として、左側ストッパー金具と右側ストッパー金具との２種類が使用されるが、左側用と右側用とで兼用できる構造の１種類のストッパー金具、例えば図１２に示すように２個の爪１４ａｐ、１４ｂｐを有する１種類のストッパー金具１４を２個使用する構成としてもよい。ここで、図１２（ａ）〜（ｅ）は、それぞれ、このストッパー金具１４を示す正面図、左側面図、平面図、右側面図および背面図である。このようなストッパー金具１４を２個使用する場合、そのうち１個を左側ストッパーとしてプリズム導光板３の入光面３ｉの左端部近傍に位置するようにシャーシ７に取り付けることによって爪１４ａｐを入光面３ｉ左端部に対向させ、他の１個を右側ストッパーとして導光板３の入光面３ｉの右端部近傍に位置するようにシャーシ７に取り付けることによって爪１４ｂｐを入光面３ｉ右端部に対向させる構成とすればよい。このような構成によっても上記実施形態と同様の効果が得られる。また、この場合、ストッパー金具は１種類のみでよいので、ストッパー付加によるコスト上昇が抑えられると共に組み立ての作業性が向上するという効果も得られる。そして、各種の液晶表示モジュールに使用すべきストッパーを共通化すれば、この効果が更に大きなものとなる。
【００６５】
＜３.２  第２の変形例＞
また、上記第１および第２の実施形態等で使用されるストッパー金具１１〜１４に代えて、第１の実施形態と同様の爪に加え当該爪に直交する第２の爪を有するストッパー金具を使用してもよい。この変形例では、ストッパー金具１５として、導光板３の左側面近傍に配置される左側ストッパー金具１５Ａと、導光板３の右側面近傍に配置される右側ストッパー金具１５Ｂとの２種類のストッパー金具が使用される。左側ストッパー金具１５Ａは、図１３（ａ）〜（ｅ）に示す形状の部材であり、右側ストッパー金具１５Ｂは、図１４（ａ）〜（ｅ）に示す形状の部材である（材質および厚みは第１の実施形態と同様）。ここで、図１３（ａ）〜（ｅ）は、それぞれ、左側ストッパー金具１５Ａを示す正面図、左側面図、平面図、右側面図および背面図であり、図１４（ａ）〜（ｅ）は、それぞれ、右側ストッパー金具１５Ｂを示す正面図、左側面図、平面図、右側面図および背面図である。この変形例における左側ストッパー金具１５Ａは、第１の実施形態と同様の爪１５Ａｐに加え当該爪１５Ａｐに直交する第２の爪１５Ａｑを有し、また、右側ストッパー金具１５Ｂは、第１の実施形態と同様の爪１５Ｂｐに加え当該爪１５Ｂｐに直交する第２の爪１５Ｂｑを有している。この変形例におけるストッパー金具１５Ａ，１５Ｂは、第２の爪１５Ａｑ，１５Ｂｑを有する点を除けば第１の実施形態におけるストッパー金具１１Ａ，１１Ｂと同様である。
【００６６】
この変形例における左側ストッパー金具１５Ａおよび右側ストッパー金具１５Ｂは第１の実施形態と同様に枠状のシャーシ７に取り付けられ（図１〜図４参照）、この取り付け状態において、第１の爪１５Ａｐ，１５Ｂｐは、導光板３における入光面３ｉの端部近傍において側方から内側に延びる部分となり、第２の爪１５Ａｑ，１５Ｂｑは、導光板３の側面のうち入光面３ｉに隣接する側面の端部近傍において側方から内側に延びる部分となる（これら２つの部分はＬ字形状を形成するので、以下、図１３および図１４に示すストッパー金具１５Ａ，１５Ｂを「Ｌ字型ストッパー金具」といい、図５および図６に示すストッパー金具１１Ａ，１１Ｂを「通常型ストッパー金具」という）。このようなＬ字型ストッパー金具１５は、導光板３の２方向への移動を防止するための係止手段であり、導光板３の主面の隅部近傍に配置してシャーシ７に嵌合またはねじ止め等によって固定される。後述のようにＬ字形状の光源が使用される場合には（図１５〜図１６参照）、外部から与えられる衝撃による光源の破損を防止すべく導光板３の移動を防止するための係止手段としてＬ字型ストッパー金具１５を使用するとよい。
【００６７】
＜３.３  第３の変形例＞
さらに、上記第１および第２の実施形態では、既述の耐衝撃性を向上させることができる程度の強度を有する材質や厚みのストッパー金具（例えば板厚０．３ｍｍのＳＵＳ３０４で作製されるストッパー金具）が使用されるが、これに代えて、このような強度を有する形状記憶合金、例えばＮｉ−Ｔｉ系の形状記憶合金（所定のチタン−ニッケル合金）で作製されるストッパー金具を使用してもよい。このような形状記憶合金製のストッパー金具をバックライトユニット等の面状照明装置に使用すれば、その面状照明装置（またはそれを備えた液晶表示装置）が外部から衝撃を複数回受けた場合であっても、その形状記憶合金の形状記憶効果を利用すべく当該ストッパー金具を加熱することにより、それら複数回の衝撃を受ける前と同程度の耐衝撃性を維持することが可能となる。
【００６８】
＜３.４  第４の変形例＞
さらにまた、本発明における面状照明装置おける係止手段としてのストッパー金具は、上記強度に関する条件を満たすと共に、光の反射率の高い表面、少なくとも光の反射率が７０％以上となる表面を有する部材または材料で作製されるのが好ましい。このようなストッパー金具を使用すれば、ストッパー金具の表面に照射される光が高い反射率で反射されてストッパー金具での光の吸収が抑制されるので、光源からの光の利用効率が向上する。そして、例えばＡｇ（銀）コーティングのような表面加工等により導光板３側の表面の光の反射率を８０％以上とした部材または材料からなるストッパー金具を使用するのが更に好ましい。液晶表示装置のバックライトユニットの光源として一般的に使用される冷陰極管の両端は中央部に比べて輝度が低く、その結果、バックライトユニットの主面（すなわち導光板３の主面）の隅部が暗くなることがある。これに対し、上記のように導光板３側の表面の反射率の高いストッパー金具を使用すれば、バックライトユニットにおける光の利用効率を向上させることができると共に、バックライトユニット主面の隅部が暗くなるという上記不具合を改善することができる。
【００６９】
＜３.５  その他の変形例＞
さらにまた、本発明における面状照明装置おける導光体は、典型的には上記第１および第２の実施形態におけるような板状の導光体すなわち導光板であるが、このような形状に限定されず、側面と主面とを有し側面から入射される光を主面から出射することで面状照明を実現できる形状であればよい。例えば、導光体の側面のうち光源に相対する側面に隣接する２つの側面の形状が三角形状であって導光体の厚みが光源から離れるに従って小さくなるような形状であってもよい。
【００７０】
さらにまた、上記第１および第２の実施形態ではバックライトユニット１１２の光源として直線状の光源（直管）が１個使用されているが、光源の形状は直線形状には限定されず、その個数も１個に限定されない。例えば、より高輝度の光源として、Ｕ字形状の曲線管を用いて屈曲した放電路を形成する冷陰極管等のＵ字形状光源を使用してもよいし、入光面の数を増やしてバックライトユニットとしての輝度を高めるために、Ｌ字形状の放電路を形成する冷陰極管等のＬ字形状光源を使用してもよい。このようなＵ字形状光源やＬ字形状光源を使用すると、光源（ランプ）の数を増やすことなく、したがってインバータ回路等のランプの駆動回路を増やすことなく、バックライトユニットとしての輝度を高めることができるので、輝度の高いバックライトユニットを低コストで実現することができる。
【００７１】
図１５（ａ）〜（ｉ）は、光源の個数や形状の異なる種々のバックライトユニットにおける光源の配置を模式的に示す平面図である。図１５（ａ）は、導光板３の互いに対向する２つの側面にそれぞれ相対するように２個の直線状の光源８が配置されている例を示し、図１５（ｂ）は、導光板３の一つの側面に相対するように１個の直線状の光源８が配置されている例を示し、図１５（ｃ）は、導光板３の互いに隣接する２つの側面に相対するように１個のＬ字形状の光源８が配置されていると共に、導光板３の他の互いに隣接する２つの側面に他の１個のＬ字形状の光源８が配置されている例を示し、図１５（ｄ）は、導光板３の互いに隣接する２つの側面に相対するように１個のＬ字形状の光源８が配置されている例を示し、図１５（ｅ）（ｇ）は、導光板３の互いに対向する２つの側面にそれぞれ相対するように２個のＵ字形状の光源８が配置されている例を示し、図１５（ｆ）（ｈ）は、導光板３の一つの側面に相対するように１個のＵ字形状の光源８が配置されている例を示し、図１５（ｉ）は、導光板３の互いに隣接する２つの側面の一方に１個のＵ字形状の光源８が配置されていると共に、他方に直線形状の光源８が配置されている例を示している。
【００７２】
なお、Ｕ字形状光源を使用する場合、導光板３に対するＵ字形状光源の配置は、Ｕ字形状光源全体を導光板３の入光面３ｉにできるだけ近づけるために、正確には図１５（ｅ）（ｆ）等の模式図に示す配置とは異なり、図１７（ａ）（ｂ）に示すような配置となる。ここで、図１７（ａ）はＵ字形状光源８の導光板３に対する配置を示す平面図であり、図１７（ｂ）は同配置を示す正面図（側面図）である。したがって、Ｕ字形状光源を使用する場合には、直線状やＬ字形状の光源を使用する場合に比べて、導光板３の厚み（主面に垂直な方向のサイズ）が大きくなり、それに応じて導光板３の質量も大きくなるので、その厚みや質量に応じたサイズおよび強度を有するストッパー金具が使用される。また、Ｌ字形状光源を使用する場合には、導光板３の互いに隣接する２つの側面が１個のＬ字形状光源に相対することになるので、入光面である当該２つの側面のいずれについても当該光源への当接が抑制されるように、導光板３の当該光源への移動（当該２つの側面の一方が当該光源に向かう方向と他方が当該光源に向かう方向との２方向への移動）を防止するために、１個のＬ字形状光源に対して（通常は複数個の）通常型ストッパー金具および／またはＬ字型ストッパー金具が係止手段として使用される。
【００７３】
さらにまた、上記第１および第２の実施形態では導光板３の側面のうち光源に相対する側面である入光面３ｉの左右両端部近傍にそれぞれ左側および右側ストッパー金具が設けられているが、部品点数を削減すべく、入光面３ｉの端部近傍の一方のみにストッパー金具を設けてもよい。また、１個のバックライトユニットにおいて導光板３の移動を防止するための係止手段として複数個のストッパー金具が使用される場合において、異なる形状のストッパー金具、例えば図５に示す通常型ストッパー金具１１（１１Ａ）と図１３に示すＬ字型ストッパー金具１５（１５Ａ）とを使用してもよい。
【００７４】
図１６（ａ）〜（ｉ）は、図１５（ａ）〜（ｉ）に示した種々のバックライトユニットにおけるストッパー金具の配置を光源の配置と共に模式的に示す平面図である。図１６（ａ）（ｅ）（ｇ）は、導光板３の２つの入光面のそれぞれにつき通常型ストッパー金具１１が２個ずつ、計４個の通常型ストッパー金具１１が使用されている例を示し、図１６（ｂ）（ｈ）は、導光板３の１つの入光面につき２個の通常型ストッパー金具１１が使用されている例を示し、図１６（ｃ）は、導光板３の４つの入光面に対し２個のＬ字型ストッパー金具１５が使用されている例を示し、図１６（ｄ）は、導光板３の２つの入光面に対し１個のＬ字型ストッパー金具１５と１個の通常型ストッパー金具１１とが使用されている例を示し、図１６（ｆ）は、導光板３の１つの入光面につき１個の通常型ストッパー金具１１が使用されている例を示し、図１６（ｉ）は、導光板３の２つの入光面のうち一方に対して２個の通常型ストッパー金具１１が使用されると共に、他方に対して１個の通常型ストッパー金具１１が使用されている例を示している。なお、通常型ストッパー金具１１として図５および図６に示す構造のものが使用され、Ｌ字型ストッパー金具１５として図１３および図１４に示す構造のものが使用される場合、図１６（ａ）〜（ｉ）には図示されていないが、導光板３の側面のうち光源８と相対しない側面には枠状のシャーシ（図１参照）の所定部分が相対するように配置され、その所定部分にストッパー金具１１，１５が嵌合またはねじ止めによって固定される。ただし、図１６（ｃ）に示すように導光板３の全ての側面に光源８が相対するように配置される場合は、ストッパー金具が固定されるべきシャーシの所定部分が導光板３の主面の隅部近傍に配置されるように当該シャーシが構成される。
【００７５】
さらにまた、上記第１および第２の実施形態では、導光板３の移動を防止するための係止手段として、図５および図６等に示す構造の通常型ストッパー金具１１や図１３および図１４に示す構造のＬ字型ストッパー金具１５が使用されるが、通常型およびＬ字型ストッパー金具１１，１５の構造はこれらの図に示されるものに限定されない。すなわち、本発明における係止手段としての通常型ストッパー金具１１は、導光板３の一つの側面である入光面３ｉが光源に向かう方向に導光板３が移動するのを防止するために入光面３ｉの両端部のいずれかの近傍の位置に固定されるようにシャーシ７に保持され得る構造であって、当該位置に固定されたときに入光面３ｉの側方から内側に延びる部分（爪１１Ａｐまたは１１ｐに相当する部分）を有していればよい。また、本発明における係止手段としてのＬ字型ストッパー金具１１は、導光板３の互いに隣接する２つの側面である入光面３ｉが光源に向かう方向に導光板３が移動するのを防止するために、すなわち導光板３の２方向への移動を防止するために、当該２つの側面の境界に相当する導光体主面の隅部近傍の位置に固定されるようにシャーシ７に保持され得る構造であって、当該位置に固定されたときに当該２つの側面のうち一方の側面の側方から内側に延びる第１の部分（爪１５Ａｐに１５Ｂｐに相当する部分）と、他方の側面の側方から内側に延びる第２の部分（爪１５Ａｑに１５Ｂｑに相当する部分）とからなるＬ字形状の部分を有していればよい。このようなＬ字型ストッパー金具を使用すれば、導光板３の互いに隣接する２つの側面である入光面３ｉのいずれが光源に向かう方向に移動する場合であっても、当該導光板３の移動が１個のＬ字型ストッパー金具で防止されるので、互いに隣接する２つの入光面を導光板３が有するように光源が配置されたバックライトユニット等の面状照明装置において、部品点数の増大を抑えつつ耐衝撃性を向上させることができる。
【００７６】
さらにまた、上記第１および第２の実施形態ではバックライトユニット１１２の光源として冷陰極管であるエッジライトが使用されているが、光が導光板３の側面３ｉから入射するサイドライト型の構成であればよく、本発明は光源を冷陰極管によるエッジライトに限定するものではない。例えばＸｅランプ（キセノンランプ）や、熱陰極管、ＬＥＤ（Light Emitting Diode）等を光源として使用してもよい。
【００７７】
なお以上では、液晶表示装置のバックライトユニットとしての面状照明装置について説明したが、本発明に係る面状照明装置は、液晶表示装置のバックライトユニットに限定されるものではなく、例えばフロントライトユニットにも適用可能である。
【図面の簡単な説明】
【００７８】
【図１】本発明の第１の実施形態に係る液晶表示装置におけるバックライトユニットの概略構成を示す裏側平面図である。
【図２】第１の実施形態に係る液晶表示装置の要部を示す断面図である。
【図３】第１の実施形態におけるバックライトユニットでのストッパー金具の取り付け位置を説明するための裏側平面図である。
【図４】第１の実施形態におけるバックライトユニットでのストッパー金具の取り付け位置を説明するための正面図（ランプ側から見た側面図）である。
【図５】第１の実施形態におけるバックライトユニットで使用される左側ストッパー金具を示す正面図（ａ）、左側面図（ｂ）、平面図（ｃ）、右側面図（ｄ）および背面図（ｅ）である。
【図６】第１の実施形態におけるバックライトユニットで使用される右側ストッパー金具を示す正面図（ａ）、左側面図（ｂ）、平面図（ｃ）、右側面図（ｄ）および背面図（ｅ）である。
【図７】第１の実施形態においてシャーシに嵌合すると共にねじ止めされるストッパー金具を示す部分断面図である。
【図８】本発明の第２の実施形態におけるバックライトユニットで使用される左側ストッパー金具を示す正面図（ａ）、左側面図（ｂ）、平面図（ｃ）、右側面図（ｄ）および背面図（ｅ）である。
【図９】第２の実施形態におけるバックライトユニットで使用される右側ストッパー金具を示す正面図（ａ）、左側面図（ｂ）、平面図（ｃ）、右側面図（ｄ）および背面図（ｅ）である。
【図１０】第２の実施形態に係る液晶表示装置におけるバックライトユニットでのストッパー金具の取り付け位置を説明するための正面図（ランプ側から見た側面図）である。
【図１１】第２の実施形態の一変形例におけるバックライトユニットでのストッパー金具の取り付け位置を説明するための正面図（ランプ側から見た側面図）である。
【図１２】第１および第２の実施形態の第１の変形例におけるバックライトユニットで使用されるストパー金具を示す正面図（ａ）、左側面図（ｂ）、平面図（ｃ）、右側面図（ｄ）および背面図（ｅ）である。
【図１３】第１および第２の実施形態の第２の変形例におけるバックライトユニットで使用される右側ストパー金具を示す正面図（ａ）、左側面図（ｂ）、平面図（ｃ）、右側面図（ｄ）および背面図（ｅ）である。
【図１４】上記第２の変形例におけるバックライトユニットで使用される左側ストパー金具を示す正面図（ａ）、左側面図（ｂ）、平面図（ｃ）、右側面図（ｄ）および背面図（ｅ）である。
【図１５】光源の個数や形状の異なる種々のバックライトユニットにおける光源の配置を模式的に示す平面図である。
【図１６】光源の個数や形状の異なる上記種々のバックライトユニットにおけるストッパー金具の配置を光源の配置と共に模式的に示す平面図である。
【図１７】Ｕ字形状の光源が使用される場合の導光板に対する光源の配置を模式的に示す平面図（ａ）および正面図（ｂ）である。
【図１８】第１の従来例である液晶表示モジュールの要部を示す断面図である。
【図１９】第２の従来例である液晶表示モジュールにおけるバックライトユニットを示す平面図である。
【符号の説明】
【００７９】
１ａ，１ｂ  …ガラス基板
２          …ベゼル
３          …プリズム導光板
３ｉ        …入光面
４          …反射板
５          …光学シート
６          …保護シート
７          …シャーシ
８          …ランプ（エッジライト）
９          …ＳＵＳ製ランプリフレクタ
１０        …ランプホルダ
１１Ａ，１２Ａ，１３Ａ，１５Ａ  …左側ストッパー金具（係止手段）
１１Ｂ，１２Ｂ，１３Ｂ，１５Ｂ  …右側ストッパー金具（係止手段）
１４        …ストッパー金具（係止手段）
１００      …液晶表示装置（液晶表示モジュール）
１１１      …液晶パネル
１１２      …バックライトユニット（面状照明装置）
【図１】
2004247285.tif 000003
【図２】
2004247285.tif 000004
【図３】
2004247285.tif 000005
【図４】
2004247285.tif 000006
【図５】
2004247285.tif 000007
【図６】
2004247285.tif 000008
【図７】
2004247285.tif 000009
【図８】
2004247285.tif 000010
【図９】
2004247285.tif 000011
【図１０】
2004247285.tif 000012
【図１１】
2004247285.tif 000013
【図１２】
2004247285.tif 000014
【図１３】
2004247285.tif 000015
【図１４】
2004247285.tif 000016
【図１５】
2004247285.tif 000017
【図１６】
2004247285.tif 000018
【図１７】
2004247285.tif 000019
【図１８】
2004247285.tif 000020
【図１９】
2004247285.tif 000021